(57)【要約】本発明は情報フィードバック方法及び装置、コンピュータ記憶媒体を開示する。前記方法は、第１の端末は第２の端末から送信されたＮ組の参照信号を受信し、Ｎは正の整数であり、ここで、異なる組間の参照信号の伝送リソースは時分割であるステップと、前記第１の端末は受信したＮ組の参照信号に基づいて目標参照信号を選択するステップと、前記第１の端末は前記第２の端末に前記目標参照信号のインデックス情報を送信し、ここで、前記インデックス情報はフィードバックチャネル内に運ばれるステップと、を含む。【選択図】図３
2021513766.tif 000002
【特許請求の範囲】
【請求項１】
第１の端末は第２の端末から送信されたＮ組の参照信号を受信し、Ｎは正の整数であり、ここで、異なる組間の参照信号の伝送リソースは時分割であるステップと、
前記第１の端末は受信したＮ組の参照信号に基づいて目標参照信号を選択するステップと、
前記第１の端末は前記第２の端末に前記目標参照信号のインデックス情報を送信し、ここで、前記インデックス情報はフィードバックチャネル内に運ばれるステップと、を含む情報フィードバック方法。
【請求項２】
前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される請求項１に記載の方法。
【請求項３】
各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される請求項１又は請求項２に記載の方法。
【請求項４】
前記第２の端末の前記制御チャネルの伝送リソースと前記参照信号の伝送リソースは時分割である請求項３に記載の方法。
【請求項５】
前記第２の端末の前記制御チャネルはビームフォーミングを用いずに伝送される請求項３又は請求項４に記載の方法。
【請求項６】
前記第２の端末の前記参照信号はビームフォーミングを用いて伝送される請求項５に記載の方法。
【請求項７】
前記フィードバックチャネルは、前記第１の端末の識別情報と前記第２の端末の識別情報のうちの少なくとも１つをさらに含む請求項１から請求項６のいずれか一項に記載の方法。
【請求項８】
前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される請求項１から請求項７のいずれか一項に記載の方法。
【請求項９】
前記第１の端末は前記第２の端末に前記目標参照信号のインデックス情報を送信するステップは、
前記第１の端末は、前記目標参照信号のインデックス情報をＮ回伝送するように、前記第２の端末にフィードバックチャネルをＮ回送信することを含む請求項１から請求項８のいずれか一項に記載の方法。
【請求項１０】
前記方法は、
前記第１の端末はリソースセンシングを実行して少なくとも１つの利用可能なリソースを決定し、且つ前記少なくとも１つの利用可能なリソースから前記フィードバックチャネルを伝送するための伝送リソースを選択するステップをさらに含む請求項１から請求項９のいずれか一項に記載の方法。
【請求項１１】
前記フィードバックチャネルの伝送リソースは、前記第１の端末の制御チャネルによって指示される請求項１０に記載の方法。
【請求項１２】
前記方法は、
前記第１の端末は前記参照信号の伝送リソースに基づいて、前記フィードバックチャネルを伝送するための伝送リソースを決定するステップをさらに含む請求項１から請求項９のいずれか一項に記載の方法。
【請求項１３】
前記第１の端末の前記制御チャネルの伝送リソースと前記フィードバックチャネルの伝送リソースは時分割である請求項８から請求項１２のいずれか一項に記載の方法。
【請求項１４】
第２の端末は第１の端末にＮ組の参照信号を送信し、Ｎは正の整数であり、ここで、異なる組間の参照信号の伝送リソースは時分割であるステップと、
前記第２の端末は前記第１の端末から送信された目標参照信号のインデックス情報を受信し、ここで、前記インデックス情報はフィードバックチャネル内に運ばれるステップと、を含む情報フィードバック方法。
【請求項１５】
前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される請求項１４に記載の方法。
【請求項１６】
各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される請求項１４又は請求項１５に記載の方法。
【請求項１７】
前記第２の端末の前記制御チャネルの伝送リソースと前記参照信号の伝送リソースは時分割である請求項１６に記載の方法。
【請求項１８】
前記第２の端末の前記制御チャネルはビームフォーミングを用いずに伝送される請求項１６又は請求項１７に記載の方法。
【請求項１９】
前記第２の端末の前記参照信号はビームフォーミングを用いて伝送される請求項１８に記載の方法。
【請求項２０】
前記フィードバックチャネルは、前記第１の端末の識別情報と前記第２の端末の識別情報のうちの少なくとも１つをさらに含む請求項１４から請求項１９のいずれか一項に記載の方法。
【請求項２１】
前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される請求項１４から請求項２０のいずれか一項に記載の方法。
【請求項２２】
前記第２の端末は前記第１の端末から送信された目標参照信号のインデックス情報を受信するステップは、
前記第２の端末は、前記第１の端末から送信された、前記インデックス情報を含むＮ回のフィードバックチャネルを受信することを含む請求項１４から請求項２１のいずれか一項に記載の方法。
【請求項２３】
前記方法は、
前記第２の端末は前記第１の端末の制御情報を受信し、前記第１の端末の制御情報に基づいて前記フィードバックチャネルを伝送するための伝送リソースを決定するステップをさらに含む請求項１４から請求項２２のいずれか一項に記載の方法。
【請求項２４】
前記方法は、
前記第２の端末は前記参照信号の伝送リソースに基づいて、前記フィードバックチャネルを伝送するための伝送リソースを決定するステップをさらに含む請求項１４から請求項２２のいずれか一項に記載の方法。
【請求項２５】
受信ユニットであって、第２の端末から送信されたＮ組の参照信号を受信することに用いられ、Ｎは正の整数であり、ここで、異なる組間の参照信号の伝送リソースは時分割である受信ユニットと、
受信したＮ組の参照信号に基づいて目標参照信号を選択するための選択ユニットと、
送信ユニットであって、前記第２の端末に前記目標参照信号のインデックス情報を送信することに用いられ、ここで、前記インデックス情報はフィードバックチャネル内に運ばれる送信ユニットと、を含む情報フィードバック装置。
【請求項２６】
前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される請求項２５に記載の装置。
【請求項２７】
各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される請求項２５又は請求項２６に記載の装置。
【請求項２８】
前記第２の端末の前記制御チャネルの伝送リソースと前記参照信号の伝送リソースは時分割である請求項２７に記載の装置。
【請求項２９】
前記第２の端末の前記制御チャネルはビームフォーミングを用いずに伝送される請求項２７又は請求項２８に記載の装置。
【請求項３０】
前記第２の端末の前記参照信号はビームフォーミングを用いて伝送される請求項２９に記載の装置。
【請求項３１】
前記フィードバックチャネルは、前記第１の端末の識別情報と前記第２の端末の識別情報のうちの少なくとも１つをさらに含む請求項２５から請求項３０のいずれか一項に記載の装置。
【請求項３２】
前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される請求項２５から請求項３１のいずれか一項に記載の装置。
【請求項３３】
前記送信ユニットは、前記目標参照信号のインデックス情報をＮ回伝送するように、前記第２の端末にフィードバックチャネルをＮ回送信するために用いられる請求項２５から請求項３２のいずれか一項に記載の装置。
【請求項３４】
前記装置は、
リソースセンシングを実行して少なくとも１つの利用可能なリソースを決定し、且つ前記少なくとも１つの利用可能なリソースから前記フィードバックチャネルを伝送するための伝送リソースを選択するためのリソースセンシングユニットをさらに含む請求項２５から請求項３３のいずれか一項に記載の装置。
【請求項３５】
前記フィードバックチャネルの伝送リソースは、前記第１の端末の制御チャネルによって指示される請求項３４に記載の装置。
【請求項３６】
前記装置は、
前記参照信号の伝送リソースに基づいて、前記フィードバックチャネルを伝送するための伝送リソースを決定するためのリソース決定ユニットをさらに含む請求項２５から請求項３３のいずれか一項に記載の装置。
【請求項３７】
前記第１の端末の前記制御チャネルの伝送リソースと前記フィードバックチャネルの伝送リソースは時分割である請求項３２から請求項３６のいずれか一項に記載の装置。
【請求項３８】
送信ユニットであって、第１の端末にＮ組の参照信号を送信することに用いられ、Ｎは正の整数であり、ここで、異なる組間の参照信号の伝送リソースは時分割である送信ユニットと、
受信ユニットであって、前記第１の端末から送信された目標参照信号のインデックス情報を受信することに用いられ、ここで、前記インデックス情報はフィードバックチャネル内に運ばれる受信ユニットと、を含む情報フィードバック装置。
【請求項３９】
前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される請求項３８に記載の装置。
【請求項４０】
各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される請求項３８又は請求項３９に記載の装置。
【請求項４１】
前記第２の端末の前記制御チャネルの伝送リソースと前記参照信号の伝送リソースは時分割である請求項４０に記載の装置。
【請求項４２】
前記第２の端末の前記制御チャネルはビームフォーミングを用いずに伝送される請求項４０又は請求項４１に記載の装置。
【請求項４３】
前記第２の端末の前記参照信号はビームフォーミングを用いて伝送される請求項４２に記載の装置。
【請求項４４】
前記フィードバックチャネルは、前記第１の端末の識別情報と前記第２の端末の識別情報のうちの少なくとも１つをさらに含む請求項３８から請求項４３のいずれか一項に記載の装置。
【請求項４５】
前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される請求項３８から請求項４４のいずれか一項に記載の装置。
【請求項４６】
前記受信ユニットは、前記第１の端末から送信された、前記インデックス情報を含むＮ回のフィードバックチャネルを受信するために用いられる請求項３８から請求項４５のいずれか一項に記載の装置。
【請求項４７】
前記装置は、
前記第１の端末の制御情報を受信し、前記第１の端末の制御情報に基づいて前記フィードバックチャネルを伝送するための伝送リソースを決定するための決定ユニットをさらに含む請求項３８から請求項４６のいずれか一項に記載の装置。
【請求項４８】
前記装置は、
前記参照信号の伝送リソースに基づいて、前記フィードバックチャネルを伝送するための伝送リソースを決定するための決定ユニットをさらに含む請求項３８から請求項４６のいずれか一項に記載の装置。
【請求項４９】
コンピュータ実行可能命令を格納しているコンピュータ記憶媒体であって、
前記コンピュータ実行可能命令がプロセッサによって実行されるときに請求項１から請求項１３のいずれか一項に記載の方法のステップ、又は請求項１４から請求項２４のいずれか一項に記載の方法のステップを実現するコンピュータ記憶媒体。
【発明の詳細な説明】
【技術分野】
【０００１】
本発明は、無線通信技術の分野に関し、特に情報フィードバック方法及び装置、コンピュータ記憶媒体に関する。
【背景技術】
【０００２】
カーネットワーキングシステムは、長期的な進化（ＬＴＥ（登録商標）、Ｌｏｎｇ  Ｔｅｒｍ  Ｅｖｏｌｕｔｉｏｎ）−デバイスツーデバイス（Ｄ２Ｄ、Ｄｅｖｉｃｅ  ｔｏ  Ｄｅｖｉｃｅ）に基づいたサイドリンク（ＳＬ、Ｓｉｄｅｌｉｎｋ）伝送技術を採用しており、従来のＬＴＥシステムで基地局によって通信データを送受信する方法とは異なり、カーネットワーキングシステムは、端末間直接通信を使用するため、スペクトル効率が高く、伝送レイテンシが低くなる。
【０００３】
３ＧＰＰ（登録商標）  Ｒｅｌ−１４では、ビークルツーエブリシング（Ｖ２Ｘ、Ｖｅｈｉｃｌｅ−ｔｏ−Ｅｖｅｒｙｔｈｉｎｇ）技術が標準化され、モード３とモード４の２つの伝送モードが定義された。モード３では、端末の伝送リソースは基地局によって割り当てられる。モード４では、端末はセンシング（ｓｅｎｓｉｎｇ）＋予約（ｒｅｓｅｒｖａｔｉｏｎ）の形態で伝送リソースを決定する。
【０００４】
ＮＲ−Ｖ２Ｘでは、自動運転をサポートする必要があるため、より高いスループット、より低いレイテンシ、より高い信頼性、より広いカバレッジ、より柔軟なリソース割り当てなど、車両間のデータインタラクションに対する要件が高くなる。上記の要件を満たすためには、ＮＲ−Ｖ２Ｘにマルチアンテナ伝送技術を導入する必要があり、マルチアンテナ伝送技術では、送信側が複数の候補ビームから最適なビームをどのように選択するかは、受信側によってフィードバックされた最適なビームのインデックス値に基づいて決定される。
【０００５】
なお、ＮＲ−Ｖ２Ｘは、ユニキャスト（ｕｎｉｃａｓｔ）、グループキャスト（ｇｒｏｕｐｃａｓｔ）、ブロードキャスト（ｂｒｏａｄｃａｓｔ）などのさまざまな伝送形態をサポートする必要がある。ユニキャスト伝送中に、受信側は確認（ＡＣＫ）／非確認（ＮＡＣＫ）情報とチャネル品質インジケータ（ＣＱＩ、Ｃｈａｎｎｅｌ  Ｑｕａｌｉｔｙ  Ｉｎｄｉｃａｔｏｒ）情報をフィードバックする必要があり、送信側は受信側からのフィードバック情報に基づいて変調及びコーディング戦略（ＭＣＳ、Ｍｏｄｕｌａｔｉｏｎ  ａｎｄ  Ｃｏｄｉｎｇ  Ｓｃｈｅｍｅ）調整を実行し、且つ再伝送が必要であるか否かを判断することができる。
【発明の概要】
【発明が解決しようとする課題】
【０００６】
これに基づいて、フィードバック情報を伝送するためにＮＲ−Ｖ２Ｘでフィードバックチャネルをどのように設計するかは解決する必要がある問題である。
【課題を解決するための手段】
【０００７】
上記技術的問題を解決するために、本発明の実施例は情報フィードバック方法及び装置、コンピュータ記憶媒体を提供する。
【０００８】
本発明の実施例にて提供される情報フィードバック方法は、
第１の端末は第２の端末から送信されたＮ組の参照信号を受信し、Ｎは正の整数であり、ここで、異なる組間の参照信号の伝送リソースは時分割であるステップと、
前記第１の端末は受信したＮ組の参照信号に基づいて目標参照信号を選択するステップと、
前記第１の端末は前記第２の端末に前記目標参照信号のインデックス情報を送信し、ここで、前記インデックス情報はフィードバックチャネル内に運ばれるステップと、を含む。
【０００９】
本発明の実施例では、前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される。
【００１０】
本発明の実施例では、各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される。
【００１１】
本発明の実施例では、前記第２の端末の前記制御チャネルの伝送リソースと前記参照信号の伝送リソースは時分割である。
【００１２】
本発明の実施例では、前記第２の端末の前記制御チャネルはビームフォーミングを用いずに伝送される。
【００１３】
本発明の実施例では、前記第２の端末の前記参照信号はビームフォーミングを用いて伝送される。
【００１４】
本発明の実施例では、前記フィードバックチャネルは、前記第１の端末の識別情報と前記第２の端末の識別情報のうちの少なくとも１つをさらに含む。
【００１５】
本発明の実施例では、前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される。
【００１６】
本発明の実施例では、前記第１の端末は前記第２の端末に前記目標参照信号のインデックス情報を送信するステップは、
前記第１の端末は、前記目標参照信号のインデックス情報をＮ回伝送するように、前記第２の端末にフィードバックチャネルをＮ回送信することを含む。
【００１７】
本発明の実施例では、前記方法は、
前記第１の端末はリソースセンシングを実行して少なくとも１つの利用可能なリソースを決定し、且つ前記少なくとも１つの利用可能なリソースから前記フィードバックチャネルを伝送するための伝送リソースを選択するステップをさらに含む。
【００１８】
本発明の実施例では、前記フィードバックチャネルの伝送リソースは、前記第１の端末の制御チャネルによって指示される。
【００１９】
本発明の実施例では、前記方法は、
前記第１の端末は前記参照信号の伝送リソースに基づいて、前記フィードバックチャネルを伝送するための伝送リソースを決定するステップをさらに含む。
【００２０】
本発明の実施例では、前記第１の端末の前記制御チャネルの伝送リソースと前記フィードバックチャネルの伝送リソースは時分割である。
【００２１】
本発明の実施例にて提供される情報フィードバック方法は、
第２の端末は第１の端末にＮ組の参照信号を送信し、Ｎは正の整数であり、ここで、異なる組間の参照信号の伝送リソースは時分割であるステップと、
前記第２の端末は前記第１の端末から送信された目標参照信号のインデックス情報を受信し、ここで、前記インデックス情報はフィードバックチャネル内に運ばれるステップと、を含む。
【００２２】
本発明の実施例では、前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される。
【００２３】
本発明の実施例では、各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される。
【００２４】
本発明の実施例では、前記第２の端末の前記制御チャネルの伝送リソースと前記参照信号の伝送リソースは時分割である。
【００２５】
本発明の実施例では、前記第２の端末の前記制御チャネルはビームフォーミングを用いずに伝送される。
【００２６】
本発明の実施例では、前記第２の端末の前記参照信号はビームフォーミングを用いて伝送される。
【００２７】
本発明の実施例では、前記フィードバックチャネルは、前記第１の端末の識別情報と前記第２の端末の識別情報のうちの少なくとも１つをさらに含む。
【００２８】
本発明の実施例では、前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される。
【００２９】
本発明の実施例では、前記第２の端末は前記第１の端末から送信された目標参照信号のインデックス情報を受信するステップは、
前記第２の端末は、前記第１の端末から送信された、前記インデックス情報を含むＮ回のフィードバックチャネルを受信することを含む。
【００３０】
本発明の実施例では、前記方法は、
前記第２の端末は前記第１の端末の制御情報を受信し、前記第１の端末の制御情報に基づいて前記フィードバックチャネルを伝送するための伝送リソースを決定するステップをさらに含む。
【００３１】
本発明の実施例では、前記方法は、
前記第２の端末は前記参照信号の伝送リソースに基づいて、前記フィードバックチャネルを伝送するための伝送リソースを決定するステップをさらに含む。
【００３２】
本発明の実施例にて提供される情報フィードバック装置は、
受信ユニットであって、第２の端末から送信されたＮ組の参照信号を受信することに用いられ、Ｎは正の整数であり、ここで、異なる組間の参照信号の伝送リソースは時分割である受信ユニットと、
受信したＮ組の参照信号に基づいて目標参照信号を選択するための選択ユニットと、
送信ユニットであって、前記第２の端末に前記目標参照信号のインデックス情報を送信することに用いられ、ここで、前記インデックス情報はフィードバックチャネル内に運ばれる送信ユニットと、を含む。
【００３３】
本発明の実施例では、前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される。
【００３４】
本発明の実施例では、各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される。
【００３５】
本発明の実施例では、前記第２の端末の前記制御チャネルの伝送リソースと前記参照信号の伝送リソースは時分割である。
【００３６】
本発明の実施例では、前記第２の端末の前記制御チャネルはビームフォーミングを用いずに伝送される。
【００３７】
本発明の実施例では、前記第２の端末の前記参照信号はビームフォーミングを用いて伝送される。
【００３８】
本発明の実施例では、前記フィードバックチャネルは、前記第１の端末の識別情報と前記第２の端末の識別情報のうちの少なくとも１つをさらに含む。
【００３９】
本発明の実施例では、前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される。
【００４０】
本発明の実施例では、前記送信ユニットは、前記目標参照信号のインデックス情報をＮ回伝送するように、前記第２の端末にフィードバックチャネルをＮ回送信するために用いられる。
【００４１】
本発明の実施例では、前記装置は、
リソースセンシングを実行して少なくとも１つの利用可能なリソースを決定し、且つ前記少なくとも１つの利用可能なリソースから前記フィードバックチャネルを伝送するための伝送リソースを選択するためのリソースセンシングユニットをさらに含む。
【００４２】
本発明の実施例では、前記フィードバックチャネルの伝送リソースは、前記第１の端末の制御チャネルによって指示される。
【００４３】
本発明の実施例では、前記装置は、
前記参照信号の伝送リソースに基づいて、前記フィードバックチャネルを伝送するための伝送リソースを決定するためのリソース決定ユニットをさらに含む。
【００４４】
本発明の実施例では、前記第１の端末の前記制御チャネルの伝送リソースと前記フィードバックチャネルの伝送リソースは時分割である。
【００４５】
本発明の実施例にて提供される情報フィードバック装置は、
送信ユニットであって、第１の端末にＮ組の参照信号を送信することに用いられ、Ｎは正の整数であり、ここで、異なる組間の参照信号の伝送リソースは時分割である送信ユニットと、
受信ユニットであって、前記第１の端末から送信された目標参照信号のインデックス情報を受信することに用いられ、ここで、前記インデックス情報はフィードバックチャネル内に運ばれる受信ユニットと、を含む。
【００４６】
本発明の実施例では、前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される。
【００４７】
本発明の実施例では、各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される。
【００４８】
本発明の実施例では、前記第２の端末の前記制御チャネルの伝送リソースと前記参照信号の伝送リソースは時分割である。
【００４９】
本発明の実施例では、前記第２の端末の前記制御チャネルはビームフォーミングを用いずに伝送される。
【００５０】
本発明の実施例では、前記第２の端末の前記参照信号はビームフォーミングを用いて伝送される。
【００５１】
本発明の実施例では、前記フィードバックチャネルは、前記第１の端末の識別情報と前記第２の端末の識別情報のうちの少なくとも１つをさらに含む。
【００５２】
本発明の実施例では、前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される。
【００５３】
本発明の実施例では、前記受信ユニットは、前記第１の端末から送信された、前記インデックス情報を含むＮ回のフィードバックチャネルを受信するために用いられる。
【００５４】
本発明の実施例では、前記装置は、
前記第１の端末の制御情報を受信し、前記第１の端末の制御情報に基づいて前記フィードバックチャネルを伝送するための伝送リソースを決定するための決定ユニットをさらに含む。
【００５５】
本発明の実施例では、前記装置は、
前記参照信号の伝送リソースに基づいて、前記フィードバックチャネルを伝送するための伝送リソースを決定するための決定ユニットをさらに含む。
【００５６】
本発明の実施例にて提供されるコンピュータ記憶媒体は、コンピュータ実行可能命令を格納しており、該コンピュータ実行可能命令がプロセッサによって実行されるときに、上記情報フィードバック方法を実現する。
【発明の効果】
【００５７】
本発明の実施例にて提供される技術的解決手段では、第１の端末は第２の端末から送信されたＮ組の参照信号を受信し、Ｎは正の整数であり、ここで、異なる組間の参照信号の伝送リソースは時分割であり、前記第１の端末は受信したＮ組の参照信号に基づいて目標参照信号を選択し、前記第１の端末は前記第２の端末に前記目標参照信号のインデックス情報を送信し、ここで、前記インデックス情報はフィードバックチャネル内に運ばれる。本発明の実施例の技術的解決手段により、第２の端末は、ビーム走査形態でＮ組の参照信号を送信し、第１の端末は、新たに設計されたフィードバックチャネルを通じて第２の端末に目標参照信号のインデックス情報（即ち、ビームインデックス情報）を送信し、なお、第１の端末はフィードバックチャネルをＮ回繰り返し送信することにより、受信側はＮ個の異なるビームを使用してインデックス情報を受信でき、受信パフォーマンスが確保される。
【図面の簡単な説明】
【００５８】
本明細書に記載される図面は、本発明のさらなる理解を提供するために使用され、本願の一部を構成し、本発明の概略的な実施例及びその説明は、本発明を説明するために使用され、本発明に対する不適切な限定を構成するものではない。図面において、
【図１】ビークルツーエブリシングにおけるモード３のシーン概略図である。
【図２】ビークルツーエブリシングにおけるモード４のシーン概略図である。
【図３】本発明の実施例に係る情報フィードバック方法のフローチャート１である。
【図４】本発明の実施例に係る情報フィードバック方法のフローチャート２である。
【図５】本発明の実施例に係る情報フィードバック装置の構成を示す概略図１である。
【図６】本発明の実施例に係る情報フィードバック装置の構成を示す概略図２である。
【図７】本発明の実施例に係るコンピュータデバイスの構成を示す概略図である。
【発明を実施するための形態】
【００５９】
本発明の実施例の特徴及び技術内容をより詳細に理解するために、本発明の実施例の実現を添付の図面を参照して以下に詳細に説明し、添付の図面は参照のみであり、本発明の実施例を限定するものではない。
【００６０】
本発明の実施例の技術的解決手段を理解しやすくするために、ビークルツーエブリシングにおけるモード３及びモード４を以下に別々に説明する。
【００６１】
モード３において、図１に示すように、車載端末の伝送リソースは、基地局（例えばＬＴＥの進化した基地局（ｅＮＢ、ｅｖｏｌｖｅｄ  ＮｏｄｅＢ））によって割り当てられ、具体的には、基地局は、許可（Ｇｒａｎｔ）リソースを指示するための制御情報をダウンリンク（ＤＬ、Ｄｏｗｎ  Ｌｉｎｋ）を介して車載端末に送信し、その後、車載端末は、基地局によって割り当てられたリソースに従ってＳＬでデータを送信する。モード３では、基地局は単発伝送のリソースを車載端末に割り当ててもよいし、準静的伝送のリソースを端末に割り当ててもよい。
【００６２】
モード４において、図２に示すように、車載端末は、センシング＋予約の伝送形態を採用する。車載端末は、リソースプールにおいてセンシングすることで利用可能な伝送リソースセットを取得し、車載端末は、該伝送リソースセットからデータ伝送用のリソースをランダムに選択する。カーネットワーキングシステムのサービスには周期的な特性があるため、車載端末は通常、準静的伝送の形態を採用し、つまり、車載端末は１つの伝送リソースを選択した後、該リソースを複数の伝送サイクルで継続的に使用し、これによりリソースの再選択とリソースの競合の確率を減らす。車載端末は、今回伝送される制御情報には次の伝送リソースを予約する情報を載せるため、他の端末は、該車載端末の制御情報を検出することにより、このリソースが該車載端末によって予約及び使用されているか否かを判断でき、リソースの競合を減らすという目的を達成する。
【００６３】
なお、ＬＴＥ−Ｖ２Ｘでは、モード３は車載端末の伝送リソースが基地局によって割り当てられることを示すために使用され、モード４は車載端末の伝送リソースが端末によって独立して選択されることを示すために使用され、ＮＲ−Ｖ２Ｘでは、新しい伝送モードを定義できるが、本発明はこれについて限定しない。
【００６４】
ＮＲ−Ｖ２Ｘにマルチアンテナ伝送技術を導入する必要があり、マルチアンテナは次の利点を有しており、
１）より高い伝送速度：マルチアンテナの多重化伝送モードを使用すると、複数のデータストリームを同じ時間周波数リソースで伝送できるため、伝送速度を向上させる。
２）より広いカバレッジとより高い信頼性：ビームフォーミング（Ｂｅａｍｆｏｒｍｉｎｇ）技術を使用してエネルギーを１つの狭いビームに集中させることができ、それにより受信側での信号対干渉雑音比（ＳＩＮＲ、Ｓｉｇｎａｌ  ｔｏ  Ｉｎｔｅｒｆｅｒｅｎｃｅ  ｐｌｕｓ  Ｎｏｉｓｅ  Ｒａｔｉｏ）を改善し、これにより、受信側の受信成功確率を向上させ、又は伝送距離を伸ばすことができる。
【００６５】
ここで、Ｂｅａｍｆｏｒｍｉｎｇによってカバレッジと信頼性を向上させることができ、送信側が複数の候補ビームから最適なビームをどのように選択するかは、送信側はビーム走査を実行し、異なるビームを用いてそれぞれ伝送する工程、受信側は各ビームで伝送されたデータをそれぞれ受信することで、最適なビームとして最高の伝送品質を持つビームを選択し、且つ該ビームのインデックス値を送信側にフィードバックする工程、及びその後のデータ伝送では、送信側は該最適なビームを用いてデータ伝送を実行できる工程によって実現される。
【００６６】
上記解決手段では、受信側がビームのインデックス値を送信側にフィードバックする必要があるが、ＮＲ−Ｖ２Ｘでビーム情報をどのようにフィードバックするかは解決する必要がある問題であり、
１）ビーム走査の工程では、ビームフォーミングを使用してデータ伝送を実行するが、ビーム情報フィードバックの工程でビームフォーミングを使用しない場合、伝送距離と受信性能を確保することは困難である。
２）フィードバック情報の伝送中にビームフォーミングを使用すれば、一方では、フィードバック情報を送信する端末（つまりフィードバック情報の送信側）が競合によってリソースを取得し、フィードバック情報を受信する端末（つまりフィードバック情報の受信側）がフィードバック情報の送信側によって取得されたリソースをどのように取得し、適切なビームを用いてフィードバック情報の送信側に合わせるかは本発明の実施例の技術的解決手段が解決しようとする問題である。
【００６７】
図３は、本発明の実施例に係る情報フィードバック方法のフローチャート１であり、図３に示すように、前記情報フィードバック方法は、ステップ３０１〜ステップ３０３を含む。
【００６８】
ステップ３０１において、第１の端末は第２の端末から送信されたＮ組の参照信号を受信し、Ｎは正の整数であり、ここで、異なる組間の参照信号の伝送リソースは時分割である。
【００６９】
本発明の実施例では、第１の端末と第２の端末の種類は限定されず、車載端末、携帯電話、ラップトップなどのデバイスであってもよい。
【００７０】
本発明の実施例では、第２の端末はビーム走査形態でデータを送信し、第２の端末のビームの総数はＮ個であり、毎回のビーム走査はＭ個のデータシンボルを占有し（つまり、各組の参照信号はＭ個の時間領域シンボルを含み、Ｍは正の整数である）、従って、１回のビーム走査を完了するにはＮ×Ｍ個のシンボルが必要であり、第１の端末はビーム走査で送信されたデータを受信する。
【００７１】
なお、本発明で言及されるシンボルは、特に明記しない限り、直交周波数分割多重化（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを指す。
【００７２】
なお、Ｎは、前記第２の端末のビームの総数、又は前記第２の端末が走査しようとするビームの総数である。
【００７３】
本発明の実施例では、第２の端末のビームの総数Ｎは、以下のようにして決定でき、
１）前記Ｎの値は前記第２の端末の制御チャネルに基づいて指示されるか、又は、
２）前記Ｎの値は予め設定された構成に基づいて決定されるか、又は、
３）前記Ｎの値は基地局の構成に基づいて決定される。
【００７４】
本発明の実施例では、ビーム走査毎に占有するシンボルの数Ｍは、以下のようにして決定でき、
１）前記Ｍの値は前記第２の端末の制御チャネルに基づいて指示されるか、又は、
２）前記Ｍの値は予め設定された構成に基づいて決定されるか、又は、
３）前記Ｍの値は基地局の構成に基づいて決定される。
【００７５】
一実施形態では、前記第２の端末の前記制御チャネルの伝送リソースと前記参照信号の伝送リソースは時分割である。さらに、前記第２の端末の前記制御チャネルはビームフォーミングを用いずに伝送される。前記第２の端末の前記参照信号はビームフォーミングを用いて伝送される。
【００７６】
ここで、前記第２の端末の制御チャネル及びデータチャネルは、時分割多重化（ＴＤＭ、Ｔｉｍｅ  Ｄｉｖｉｓｉｏｎ  Ｍｕｌｔｉｐｌｅｘｉｎｇ）形態で伝送される。これは、第２の端末の制御チャネル及びデータチャネルが周波数分割多重化（ＦＤＭ、Ｆｒｅｑｕｅｎｃｙ  Ｄｉｖｉｓｉｏｎ  Ｍｕｌｔｉｐｌｅｘｉｎｇ）形態で伝送される場合、制御チャネルがビームフォーミングを用いず、データチャネルがビームフォーミングを用いて伝送されることを実現するのが困難であるからである。
【００７７】
ステップ３０２において、前記第１の端末は受信したＮ組の参照信号に基づいて目標参照信号を選択する。
【００７８】
一実施形態では、ビーム走査形態に基づいて第２の端末から送信されたＮ組の参照信号を受信した後、第１の端末は、最適な参照信号としてＮ組の参照信号（Ｎ個のビームに対応）から最高の伝送品質を持つ参照信号を選択し、つまり、前記目標参照信号である。
【００７９】
ステップ３０３において、前記第１の端末は前記第２の端末に前記目標参照信号のインデックス情報を送信し、ここで、前記インデックス情報はフィードバックチャネル内に運ばれる。
【００８０】
本発明の実施例では、新たなチャネル、即ち目標参照信号のインデックス情報を伝送するためのフィードバックチャネルを設計する。なお、フィードバックチャネルは、確認（ＡＣＫ）／非確認（ＮＡＣＫ）情報、チャネル品質インジケータ（ＣＱＩ、Ｃｈａｎｎｅｌ  Ｑｕａｌｉｔｙ  Ｉｎｄｉｃａｔｏｒ）情報、プリコーディングマトリックスインジケータ（ＰＭＩ、Ｐｒｅｃｏｄｉｎｇ  Ｍａｔｒｉｘ  Ｉｎｄｉｃａｔｏｒ）情報、ランク表示（ＲＩ、Ｒａｎｋ  Ｉｎｄｉｃａｔｉｏｎ）情報、電力インジケータ情報など、他のフィードバック情報を運ぶために使用されてもよい。
【００８１】
一実施形態では、前記フィードバックチャネルは、前記第１の端末の識別情報と前記第２の端末の識別情報のうちの少なくとも１つをさらに含む。
【００８２】
本発明の実施例では、前記フィードバックチャネルはＫ個の時間領域シンボルを含み、Ｋは正の整数であり、ここで、前記フィードバックチャネルが占有するシンボルの数Ｋは、以下のようにして決定でき、
１）前記Ｋの値は前記第１の端末の制御チャネルに基づいて指示されるか、又は、
２）前記Ｋの値は予め設定された構成に基づいて決定されるか、又は、
３）前記Ｋの値は基地局の構成に基づいて決定される。
【００８３】
本発明の実施例では、前記第１の端末は、前記目標参照信号のインデックス情報をＮ回伝送するように、前記第２の端末にフィードバックチャネルをＮ回送信する。
【００８４】
ここで、各フィードバックチャネルがＫ個のシンボルを占有するため、従ってフィードバックチャネルが占有するシンボルの総数はＮ×Ｋであり、ここで、Ｎは第２の端末のビームの総数である。
【００８５】
本発明の実施例では、前記第１の端末が前記第２の端末にフィードバックチャネルをＮ回送信する目的は、第２の端末がビーム走査形態でＮ個のビームを用いて第２の端末に合わせてＮ個のフィードバックチャネルを受信し、ここで、１つのビームが１回のフィードバックチャネルの受信に対応することである。
【００８６】
本発明の実施例では、フィードバックチャネルの伝送リソースは以下の２つの形態によって決定できる。
【００８７】
形態１において、第１の端末のフィードバックリソースは、センシングによって取得される。
【００８８】
具体的には、前記第１の端末は、リソースセンシングを実行して少なくとも１つの利用可能なリソースを決定し、且つ前記少なくとも１つの利用可能なリソースから前記フィードバックチャネルを伝送するための伝送リソースを選択する。さらに、前記フィードバックチャネルの伝送リソースは、前記第１の端末の制御チャネルによって指示される。
【００８９】
形態２において、第１の端末のフィードバックリソースは、第２の端末から送信されたデータの伝送リソースによって決定される。
【００９０】
具体的には、前記第１の端末は前記参照信号の伝送リソースに基づいて、前記フィードバックチャネルを伝送するための伝送リソースを決定する。例えば、前記フィードバックチャネルの伝送リソースは、前記参照信号が位置する最低物理リソースブロック（ＰＲＢ、Ｐｈｙｓｉｃａｌ  Ｒｅｓｏｕｒｃｅ  Ｂｌｏｃｋ）のインデックス、又は最低サブバンドのインデックスによって決定されることができる。
【００９１】
上記解決手段では、フィードバックチャネルの伝送リソースの時間領域長はＮ×Ｋであり、ここで、各フィードバックチャネルがＫ個のシンボルを占有し、フィードバックチャネルをＮ回伝送する場合、フィードバックチャネルが占有するシンボルの総数はＮ×Ｋである。
【００９２】
本発明の実施例では、前記第１の端末の制御チャネルは伝送されてもされなくてもよい。前記第１の端末が制御チャネルを伝送しない場合、前記Ｋの値及び／又は前記フィードバックチャネルの伝送リソースは、前記第２の端末側で予め設定された操作により取得され、例えば、前記第２の端末は、予め設定された構成又は基地局の構成によりＫ値を取得し、前記第２の端末は、前記参照信号の伝送リソースを使用して前記フィードバックチャネルの伝送リソースを決定する。
【００９３】
前記第１の端末が制御チャネルを伝送する場合、前記Ｋの値及び／又は前記フィードバックチャネルの伝送リソースは、前記第２の端末側で前記第１の端末の制御チャネルを介して取得され、あるいは前記第２の端末側で予め設定された操作により取得され、ここで、前記第１の端末の前記制御チャネルの伝送リソースと前記フィードバックチャネルの伝送リソースは時分割である。
【００９４】
図４は、本発明の実施例に係る情報フィードバック方法のフローチャート２であり、図４に示すように、前記情報フィードバック方法は、ステップ４０１及びステップ４０２を含む。
【００９５】
ステップ４０１において、第２の端末は第１の端末にＮ組の参照信号を送信し、Ｎは正の整数であり、ここで、異なる組間の参照信号の伝送リソースは時分割である。
【００９６】
本発明の実施例では、第２の端末はビーム走査形態でデータを送信し、第２の端末のビームの総数はＮ個であり、毎回のビーム走査はＭ個のデータシンボルを占有し（つまり、各組の参照信号はＭ個の時間領域シンボルを含み、Ｍは正の整数である）、従って、１回のビーム走査を完了するにはＮ×Ｍ個のシンボルが必要であり、第１の端末はビーム走査で送信されたデータを受信する。
【００９７】
なお、Ｎは、前記第２の端末のビームの総数、又は前記第２の端末が走査しようとするビームの総数である。
【００９８】
本発明の実施例では、第２の端末のビームの総数Ｎは、以下のようにして決定でき、
１）前記Ｎの値は前記第２の端末の制御チャネルに基づいて指示されるか、又は、
２）前記Ｎの値は予め設定された構成に基づいて決定されるか、又は、
３）前記Ｎの値は基地局の構成に基づいて決定される。
【００９９】
本発明の実施例では、ビーム走査毎に占有するシンボルの数Ｍは、以下のようにして決定でき、
１）前記Ｍの値は前記第２の端末の制御チャネルに基づいて指示されるか、又は、
２）前記Ｍの値は予め設定された構成に基づいて決定されるか、又は、
３）前記Ｍの値は基地局の構成に基づいて決定される。
【０１００】
一実施形態では、前記第２の端末の前記制御チャネルの伝送リソースと前記参照信号の伝送リソースは時分割である。さらに、前記第２の端末の前記制御チャネルはビームフォーミングを用いずに伝送される。前記第２の端末の前記参照信号はビームフォーミングを用いて伝送される。
【０１０１】
ここで、前記第２の端末の制御チャネル及びデータチャネルは、ＴＤＭ形態で伝送される。これは、第２の端末の制御チャネル及びデータチャネルがＦＤＭ形態で伝送される場合、制御チャネルがビームフォーミングを用いず、データチャネルがビームフォーミングを用いて伝送されることを実現するのが困難であるからである。
【０１０２】
ステップ４０２において、前記第２の端末は前記第１の端末から送信された目標参照信号のインデックス情報を受信し、ここで、前記インデックス情報はフィードバックチャネル内に運ばれる。
【０１０３】
一実施形態では、前記フィードバックチャネルは、前記第１の端末の識別情報と前記第２の端末の識別情報のうちの少なくとも１つをさらに含む。
【０１０４】
本発明の実施例では、前記フィードバックチャネルはＫ個の時間領域シンボルを含み、Ｋは正の整数であり、ここで、前記フィードバックチャネルが占有するシンボルの数Ｋは、以下のようにして決定でき、
１）前記Ｋの値は前記第１の端末の制御チャネルに基づいて指示されるか、又は、
２）前記Ｋの値は予め設定された構成に基づいて決定されるか、又は、
３）前記Ｋの値は基地局の構成に基づいて決定される。
【０１０５】
本発明の実施例では、前記第２の端末は、前記第１の端末から送信された、前記インデックス情報を含むＮ回のフィードバックチャネルを受信する。さらに、前記第２の端末は、Ｎ個のビームを介して前記第１の端末から送信されたＮ回のフィードバックチャネルを受信し、ここで、１つのビームは１回のフィードバックチャネルの受信に対応する。
【０１０６】
本発明の実施例では、フィードバックチャネルの伝送リソースは以下の２つの形態によって決定できる。
【０１０７】
形態１において、前記第２の端末は、前記第１の端末の制御情報を受信し、前記第１の端末の制御情報に基づいて前記フィードバックチャネルを伝送するための伝送リソースを決定する。
【０１０８】
形態２において、前記第２の端末は前記参照信号の伝送リソースに基づいて、前記フィードバックチャネルを伝送するための伝送リソースを決定する。
【０１０９】
具体的には、前記第２の端末は前記参照信号の伝送リソースに基づいて、前記フィードバックチャネルを伝送するための伝送リソースを決定する。例えば、前記フィードバックチャネルの伝送リソースは、前記データが存在する最低ＰＲＢのインデックス又は最低サブバンドのインデックスによって決定されてもよい。
【０１１０】
図５は、本発明の実施例に係る情報フィードバック装置の構成を示す概略図１であり、図５に示すように、前記情報フィードバック装置は、
受信ユニット５０１であって、第２の端末から送信されたＮ組の参照信号を受信することに用いられ、Ｎは正の整数であり、ここで、異なる組間の参照信号の伝送リソースは時分割である受信ユニット５０１と、
受信したＮ組の参照信号に基づいて目標参照信号を選択するための選択ユニット５０２と、
送信ユニット５０３であって、前記第２の端末に前記目標参照信号のインデックス情報を送信することに用いられ、ここで、前記インデックス情報はフィードバックチャネル内に運ばれる送信ユニット５０３と、を含む。
【０１１１】
一実施形態では、前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される。
【０１１２】
本発明の実施例では、第２の端末はビーム走査形態でデータを送信し、なお、Ｎは、前記第２の端末のビームの総数、又は前記第２の端末が走査しようとするビームの総数である。
【０１１３】
一実施形態では、各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される。
【０１１４】
なお、本発明で言及されるシンボルは、特に明記しない限り、ＯＦＤＭシンボルを指す。
【０１１５】
一実施形態では、前記第２の端末の前記制御チャネルの伝送リソースと前記参照信号の伝送リソースは時分割である。
【０１１６】
一実施形態では、前記第２の端末の前記制御チャネルはビームフォーミングを用いずに伝送される。
【０１１７】
一実施形態では、前記第２の端末の前記参照信号はビームフォーミングを用いて伝送される。
【０１１８】
一実施形態では、前記フィードバックチャネルは、前記第１の端末の識別情報と前記第２の端末の識別情報のうちの少なくとも１つをさらに含む。
【０１１９】
一実施形態では、前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される。
【０１２０】
一実施形態では、前記送信ユニット５０３は、前記目標参照信号のインデックス情報をＮ回伝送するように、前記第２の端末にフィードバックチャネルをＮ回送信するために用いられる。
【０１２１】
一実施形態では、前記装置は、
リソースセンシングを実行して少なくとも１つの利用可能なリソースを決定し、且つ前記少なくとも１つの利用可能なリソースから前記フィードバックチャネルを伝送するための伝送リソースを選択するためのリソースセンシングユニット５０４をさらに含む。
【０１２２】
一実施形態では、前記フィードバックチャネルの伝送リソースは、前記第１の端末の制御チャネルによって指示される。
【０１２３】
一実施形態では、前記装置は、
前記参照信号の伝送リソースに基づいて、前記フィードバックチャネルを伝送するための伝送リソースを決定するためのリソース決定ユニット５０５をさらに含む。
【０１２４】
一実施形態では、前記第１の端末の前記制御チャネルの伝送リソースと前記フィードバックチャネルの伝送リソースは時分割である。
【０１２５】
当業者であれば、図５に示された情報フィードバック装置の各ユニットの実現機能は、上記の情報フィードバック方法の関連説明を参照することにより理解されることができる。図５に示された情報フィードバック装置における各ユニットの機能は、プロセッサ上で実行しているプログラムにより実現されてもよいし、具体的な論理回路により実現されてもよいと理解すべきである。
【０１２６】
図６は、本発明の実施例に係る情報フィードバック装置の構成を示す概略図２であり、図６に示すように、前記情報フィードバック装置は、
送信ユニット６０１であって、第１の端末にＮ組の参照信号を送信することに用いられ、Ｎは正の整数であり、ここで、異なる組間の参照信号の伝送リソースは時分割である送信ユニット６０１と、
受信ユニット６０３であって、前記第１の端末から送信された目標参照信号のインデックス情報を受信することに用いられ、ここで、前記インデックス情報はフィードバックチャネル内に運ばれる受信ユニット６０３と、を含む。
【０１２７】
一実施形態では、前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される。
【０１２８】
本発明の実施例では、第２の端末はビーム走査形態でデータを送信し、なお、Ｎは、前記第２の端末のビームの総数、又は前記第２の端末が走査しようとするビームの総数である。
【０１２９】
一実施形態では、各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される。
【０１３０】
なお、本発明で言及されるシンボルは、特に明記しない限り、ＯＦＤＭシンボルを指す。
【０１３１】
一実施形態では、前記第２の端末の前記制御チャネルの伝送リソースと前記参照信号の伝送リソースは時分割である。
【０１３２】
一実施形態では、前記第２の端末の前記制御チャネルはビームフォーミングを用いずに伝送される。
【０１３３】
一実施形態では、前記第２の端末の前記参照信号はビームフォーミングを用いて伝送される。
【０１３４】
一実施形態では、前記フィードバックチャネルは、前記第１の端末の識別情報と前記第２の端末の識別情報のうちの少なくとも１つをさらに含む。
【０１３５】
一実施形態では、前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される。
【０１３６】
一実施形態では、前記受信ユニット６０３は、前記第１の端末から送信された、前記インデックス情報を含むＮ回のフィードバックチャネルを受信するために用いられる。
【０１３７】
一実施形態では、前記装置は、
前記第１の端末の制御情報を受信し、前記第１の端末の制御情報に基づいて前記フィードバックチャネルを伝送するための伝送リソースを決定するための決定ユニット６０２をさらに含む。
【０１３８】
一実施形態では、前記装置は、
前記参照信号の伝送リソースに基づいて、前記フィードバックチャネルを伝送するための伝送リソースを決定するための決定ユニット６０２をさらに含む。
【０１３９】
当業者であれば、図６に示された情報フィードバック装置の各ユニットの実現機能は、上記の情報フィードバック方法の説明を参照することにより理解されることができる。図６に示された情報フィードバック装置における各ユニットの機能は、プロセッサ上で実行しているプログラムにより実現されてもよいし、具体的な論理回路により実現されてもよいと理解すべきである。
【０１４０】
本発明の実施例の上記の技術的解決手段は、カーネットワーキングシステムだけでなく、他のエンドツーエンド通信システムにも適用可能であり、本発明の実施例における前記端末は、車載端末、ハンドヘルド端末、パーソナルデジタルアシスタント（ＰＤＡ、Ｐｅｒｓｏｎａｌ  Ｄｉｇｉｔａｌ  Ａｓｓｉｓｔａｎｔ）、又はウェアラブル端末などであってもよい。
【０１４１】
本発明の実施例における上記情報フィードバック装置は、ソフトウェア機能モジュールの形態で実現されてスタンドアロン製品として販売又は使用される場合、コンピュータ可読記憶媒体に格納されてもよい。このような理解に基づいて、本発明の実施例の技術的解決手段の従来技術に不可欠又は貢献する部分は、ソフトウェア製品の形態で具現化することができ、該コンピュータソフトウェア製品は、１つの記憶媒体に記憶され、コンピュータデバイス（パーソナルコンピュータ、サーバ、又はネットワークデバイスなどであってもよい）に本発明の各実施例に記載の方法の全て又は一部を実行させるためのいつくかの命令を含む。前述の記憶媒体は、Ｕディスク、モバイルハードディスク、読み取り専用メモリ（ＲＯＭ、Ｒｅａｄ  Ｏｎｌｙ  Ｍｅｍｏｒｙ）、磁気ディスク、又は光ディスクなどのプログラムコードを格納できるさまざまな媒体を含む。このようにして、本発明の実施例は、ハードウェアとソフトウェアの特定の組み合わせに限定されない。
【０１４２】
従って、本発明の実施例はさらに、コンピュータ実行可能命令を格納しているコンピュータ記憶媒体を提供し、該コンピュータ実行可能命令がプロセッサによって実行されるときに、本発明の実施例の上記情報フィードバック方法を実現する。
【０１４３】
図７は、本発明の実施例に係るコンピュータデバイスの構成を示す概略図であり、該コンピュータデバイスは任意の種類の端末であってもよい。図７に示すように、コンピュータデバイス１００は、１つ又は複数（図には１つのみ示す）のプロセッサ１００２（プロセッサ１００２は、マイクロプロセッサ（ＭＣＵ、Ｍｉｃｒｏ  Ｃｏｎｔｒｏｌｌｅｒ  Ｕｎｉｔ）又はプログラマブルロジックデバイス（ＦＰＧＡ、Ｆｉｅｌｄ  Ｐｒｏｇｒａｍｍａｂｌｅ  Ｇａｔｅ  Ａｒｒａｙ）などの処理装置を含むが、これらに限定されない）、データを格納するためのメモリ１００４、及び通信機能のための伝送装置１００６を含んでもよい。当業者であれば、図７に示される構成が例示に過ぎず、上記電子装置の構成を限定しないと理解できる。例えば、コンピュータデバイス１００は、図７に示されるものよりも多いか又は少ないコンポーネントをさらに含んでもよく、又は図７に示されるものとは異なる構成を有してもよい。
【０１４４】
メモリ１００４は、本発明の実施例における方法に対応するプログラム命令／モジュールのような、アプリケーションソフトウェアのソフトウェアプログラム及びモジュールを格納するために使用でき、プロセッサ１００２は、メモリ１００４に格納されているソフトウェアプログラム及びモジュールを実行することによって、さまざまな機能アプリケーション及びデータ処理を実行し、即ち、上記の方法を実現する。メモリ１００４は、高速ランダムアクセスメモリを含んでもよく、さらに、１つ又は複数の磁気記憶装置、フラッシュメモリ、又は他の不揮発性ソリッドステートメモリなどの不揮発性メモリを含んでもよい。いくつかの例では、メモリ１００４は、プロセッサ１００２に対して遠隔設定されたメモリをさらに含んでもよく、これらのリモートメモリは、ネットワークを介してコンピュータデバイス１００に接続されてもよい。上記ネットワークの例には、インターネット、イントラネット、ローカルエリアネットワーク、モバイル通信ネットワーク、及びそれらの組み合わせが含まれるが、これらに限定されない。
【０１４５】
伝送装置１００６は、ネットワークを介してデータを受信又は送信するために使用される。上記ネットワークの特定の例は、コンピュータデバイス１００の通信プロバイダーによって提供される無線ネットワークを含んでもよい。一例では、伝送装置１００６は、インターネットと通信するために基地局を介して他のネットワークデバイスに接続できるネットワークアダプタ（ＮＩＣ、Ｎｅｔｗｏｒｋ  Ｉｎｔｅｒｆａｃｅ  Ｃｏｎｔｒｏｌｌｅｒ）を含む。一例では、伝送装置１００６は、無線形態でインターネットと通信するために使用される無線周波数（ＲＦ、Ｒａｄｉｏ  Ｆｒｅｑｕｅｎｃｙ）モジュールであってもよい。
【０１４６】
本発明の実施例に記載の技術的解決手段は、矛盾しない場合、任意に組み合わせることができる。
【０１４７】
理解すべきことであるが、本発明に係るいくつかの実施例で開示されている方法及びスマートデバイスは、その他の形態によって実施することもできる。以上に記載のデバイスの実施例は、例示的なものに過ぎず、例えば、前記ユニットの区分は論理上の機能区分に過ぎず、実施するに際しては他の区分形態が考えられる。例えば、複数のユニット又はコンポーネントを組み合わせるか、別のシステムに集積させるか、又はその一部の特徴を反映せず、実行しなくてもよい。また、表示又は議論される各構成要素の相互間の結合、又は直接的な結合、又は通信接続は、いくつかのインタフェース、デバイス、又はユニットを介した間接的な結合又は通信接続であってもよく、電気的形態、機械的形態又はその他の形態であってもよい。
【０１４８】
分離されている部品として説明されている前記ユニットは、物理的に分離されていてもよいし、されなくてもよく、ユニットとして表示されている部品は、物理的なユニットであってもよいし、されなくてもよく、即ち、同一の場所に配置されていてもよいし、複数のネットワークユニットに分布してもよく、実際の状況に応じて、その一部のユニットを選択するか、又は全てのユニットを使用して当該実施例の解決手段の目的を達成することができる。
【０１４９】
また、本発明の各実施例における各機能ユニットは１つの第２の処理ユニットに集積されていてもよいし、又は各ユニットが個別に１つのユニットとして使用されてもよく、又は２つ以上のユニットが１つのユニットに統合されてもよく、上記の集積ユニットは、ハードウェアの形で、又はハードウェアとソフトウェアの機能ユニットの形で実現できる。
【０１５０】
本明細書に記載の内容は、本発明の具体的な実施形態に過ぎず、本発明の保護範囲はこれをもって限定されるわけではない。当業者が本発明で開示されている技術範囲において容易に想到し得る変更又は置換は、いずれも本発明の保護範囲に含まれるべきである。
【図１】
2021513766.tif 000003
【図２】
2021513766.tif 000004
【図３】
2021513766.tif 000005
【図４】
2021513766.tif 000006
【図５】
2021513766.tif 000007
【図６】
2021513766.tif 000008
【図７】
2021513766.tif 000009
【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
第１の端末は第２の端末から送信されたＮ組の参照信号を受信し、Ｎは正の整数であり、ここで、異なる組間の参照信号の伝送リソースは時分割であるステップと、
前記第１の端末は受信したＮ組の参照信号に基づいて目標参照信号を選択するステップと、
前記第１の端末は前記第２の端末に前記目標参照信号のインデックス情報を送信し、ここで、前記インデックス情報はフィードバックチャネル内に運ばれるステップと、を含む情報フィードバック方法。
【請求項２】
前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される請求項１に記載の方法。
【請求項３】
各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される請求項１又は請求項２に記載の方法。
【請求項４】
前記第２の端末の前記制御チャネルの伝送リソースと前記参照信号の伝送リソースは時分割である請求項３に記載の方法。
【請求項５】
前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される請求項１から請求項４のいずれか一項に記載の方法。
【請求項６】
第１の端末に適用される情報フィードバック装置であって、前記情報フィードバック装置は、
受信ユニットであって、第２の端末から送信されたＮ組の参照信号を受信することに用いられ、Ｎは正の整数であり、ここで、異なる組間の参照信号の伝送リソースは時分割である受信ユニットと、
受信したＮ組の参照信号に基づいて目標参照信号を選択するための選択ユニットと、
送信ユニットであって、前記第２の端末に前記目標参照信号のインデックス情報を送信することに用いられ、ここで、前記インデックス情報はフィードバックチャネル内に運ばれる送信ユニットと、を含む情報フィードバック装置。
【請求項７】
前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される請求項６に記載の装置。
【請求項８】
各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される請求項６又は請求項７に記載の装置。
【請求項９】
前記第２の端末の前記制御チャネルの伝送リソースと前記参照信号の伝送リソースは時分割である請求項８に記載の装置。
【請求項１０】
前記フィードバックチャネルは、前記第１の端末の識別情報と前記第２の端末の識別情報のうちの少なくとも１つをさらに含む請求項６から請求項９のいずれか一項に記載の装置。
【請求項１１】
前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される請求項６から請求項１０のいずれか一項に記載の装置。
【請求項１２】
前記送信ユニットは、前記目標参照信号のインデックス情報をＮ回伝送するように、前記第２の端末にフィードバックチャネルをＮ回送信するために用いられる請求項６から請求項１１のいずれか一項に記載の装置。
【請求項１３】
前記装置は、
センシングを実行して少なくとも１つの利用可能なリソースを決定し、且つ前記少なくとも１つの利用可能なリソースから前記フィードバックチャネルを伝送するための伝送リソースを選択するためのセンシングユニットをさらに含み、
前記フィードバックチャネルの伝送リソースは、前記第１の端末の制御チャネルによって指示される請求項６から請求項１２のいずれか一項に記載の装置。
【請求項１４】
前記装置は、
前記参照信号の伝送リソースに基づいて、前記フィードバックチャネルを伝送するための伝送リソースを決定するためのリソース決定ユニットをさらに含む請求項６から請求項１３のいずれか一項に記載の装置。
【請求項１５】
前記第１の端末の前記制御チャネルの伝送リソースと前記フィードバックチャネルの伝送リソースは時分割である請求項１１から請求項１４のいずれか一項に記載の装置。
【手続補正２】
【補正対象書類名】明細書
【補正対象項目名】全文
【補正方法】変更
【補正の内容】
【発明の詳細な説明】
【技術分野】
【０００１】
本発明は、無線通信技術の分野に関し、特に情報フィードバック方法及び装置、コンピュータ記憶媒体に関する。
【背景技術】
【０００２】
カーネットワーキングシステムは、長期的な進化（ＬＴＥ（登録商標）、Ｌｏｎｇ  Ｔｅｒｍ  Ｅｖｏｌｕｔｉｏｎ）−デバイスツーデバイス（Ｄ２Ｄ、Ｄｅｖｉｃｅ  ｔｏ  Ｄｅｖｉｃｅ）に基づいたサイドリンク（ＳＬ、Ｓｉｄｅｌｉｎｋ）伝送技術を採用しており、従来のＬＴＥシステムで基地局によって通信データを送受信する方法とは異なり、カーネットワーキングシステムは、端末間直接通信を使用するため、スペクトル効率が高く、伝送レイテンシが低くなる。
【０００３】
３ＧＰＰ（登録商標）  Ｒｅｌ−１４では、ビークルツーエブリシング（Ｖ２Ｘ、Ｖｅｈｉｃｌｅ−ｔｏ−Ｅｖｅｒｙｔｈｉｎｇ）技術が標準化され、モード３とモード４の２つの伝送モードが定義された。モード３では、端末の伝送リソースは基地局によって割り当てられる。モード４では、端末はセンシング（ｓｅｎｓｉｎｇ）＋予約（ｒｅｓｅｒｖａｔｉｏｎ）の形態で伝送リソースを決定する。
【０００４】
ＮＲ−Ｖ２Ｘ（Ｎｅｗ  Ｒａｄｉｏ−Ｖ２Ｘ）では、自動運転をサポートする必要があるため、より高いスループット、より低いレイテンシ、より高い信頼性、より広いカバレッジ、より柔軟なリソース割り当てなど、車両間のデータインタラクションに対する要件が高くなる。上記の要件を満たすためには、ＮＲ−Ｖ２Ｘにマルチアンテナ伝送技術を導入する必要があり、マルチアンテナ伝送技術では、送信側が複数の候補ビームから最適なビームをどのように選択するかは、受信側によってフィードバックされた最適なビームのインデックス値に基づいて決定される。
【０００５】
なお、ＮＲ−Ｖ２Ｘは、ユニキャスト（ｕｎｉｃａｓｔ）、グループキャスト（ｇｒｏｕｐｃａｓｔ）、ブロードキャスト（ｂｒｏａｄｃａｓｔ）などのさまざまな伝送形態をサポートする必要がある。ユニキャスト伝送中に、受信側は確認（ＡＣＫ）／非確認（ＮＡＣＫ）情報とチャネル品質インジケータ（ＣＱＩ、Ｃｈａｎｎｅｌ  Ｑｕａｌｉｔｙ  Ｉｎｄｉｃａｔｏｒ）情報をフィードバックする必要があり、送信側は受信側からのフィードバック情報に基づいて変調及びコーディング戦略（ＭＣＳ、Ｍｏｄｕｌａｔｉｏｎ  ａｎｄ  Ｃｏｄｉｎｇ  Ｓｃｈｅｍｅ）調整を実行し、且つ再伝送が必要であるか否かを判断することができる。
【発明の概要】
【発明が解決しようとする課題】
【０００６】
これに基づいて、フィードバック情報を伝送するためにＮＲ−Ｖ２Ｘでフィードバックチャネルをどのように設計するかは解決する必要がある問題である。
【課題を解決するための手段】
【０００７】
上記技術的問題を解決するために、本発明の実施例は情報フィードバック方法及び装置、コンピュータ記憶媒体を提供する。
【０００８】
本発明の実施例にて提供される情報フィードバック方法は、
第１の端末は第２の端末から送信されたＮ組の参照信号を受信し、Ｎは正の整数であり、ここで、異なる組間の参照信号の伝送リソースは時分割であるステップと、
前記第１の端末は受信したＮ組の参照信号に基づいて目標参照信号を選択するステップと、
前記第１の端末は前記第２の端末に前記目標参照信号のインデックス情報を送信し、ここで、前記インデックス情報はフィードバックチャネル内に運ばれるステップと、を含む。
【０００９】
本発明の実施例では、前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される。
【００１０】
本発明の実施例では、各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される。
【００１１】
本発明の実施例では、前記第２の端末の前記制御チャネルの伝送リソースと前記参照信号の伝送リソースは時分割である。
【００１２】
本発明の実施例では、前記第２の端末の前記制御チャネルはビームフォーミングを用いずに伝送される。
【００１３】
本発明の実施例では、前記第２の端末の前記参照信号はビームフォーミングを用いて伝送される。
【００１４】
本発明の実施例では、前記フィードバックチャネルは、前記第１の端末の識別情報と前記第２の端末の識別情報のうちの少なくとも１つをさらに含む。
【００１５】
本発明の実施例では、前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される。
【００１６】
本発明の実施例では、前記第１の端末は前記第２の端末に前記目標参照信号のインデックス情報を送信するステップは、
前記第１の端末は、前記目標参照信号のインデックス情報をＮ回伝送するように、前記第２の端末にフィードバックチャネルをＮ回送信することを含む。
【００１７】
本発明の実施例では、前記方法は、
前記第１の端末はリソースセンシングを実行して少なくとも１つの利用可能なリソースを決定し、且つ前記少なくとも１つの利用可能なリソースから前記フィードバックチャネルを伝送するための伝送リソースを選択するステップをさらに含む。
【００１８】
本発明の実施例では、前記フィードバックチャネルの伝送リソースは、前記第１の端末の制御チャネルによって指示される。
【００１９】
本発明の実施例では、前記方法は、
前記第１の端末は前記参照信号の伝送リソースに基づいて、前記フィードバックチャネルを伝送するための伝送リソースを決定するステップをさらに含む。
【００２０】
本発明の実施例では、前記第１の端末の前記制御チャネルの伝送リソースと前記フィードバックチャネルの伝送リソースは時分割である。
【００２１】
本発明の実施例にて提供される情報フィードバック方法は、
第２の端末は第１の端末にＮ組の参照信号を送信し、Ｎは正の整数であり、ここで、異なる組間の参照信号の伝送リソースは時分割であるステップと、
前記第２の端末は前記第１の端末から送信された目標参照信号のインデックス情報を受信し、ここで、前記インデックス情報はフィードバックチャネル内に運ばれるステップと、を含む。
【００２２】
本発明の実施例では、前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される。
【００２３】
本発明の実施例では、各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される。
【００２４】
本発明の実施例では、前記第２の端末の前記制御チャネルの伝送リソースと前記参照信号の伝送リソースは時分割である。
【００２５】
本発明の実施例では、前記第２の端末の前記制御チャネルはビームフォーミングを用いずに伝送される。
【００２６】
本発明の実施例では、前記第２の端末の前記参照信号はビームフォーミングを用いて伝送される。
【００２７】
本発明の実施例では、前記フィードバックチャネルは、前記第１の端末の識別情報と前記第２の端末の識別情報のうちの少なくとも１つをさらに含む。
【００２８】
本発明の実施例では、前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される。
【００２９】
本発明の実施例では、前記第２の端末は前記第１の端末から送信された目標参照信号のインデックス情報を受信するステップは、
前記第２の端末は、前記第１の端末から送信された、前記インデックス情報を含むＮ回のフィードバックチャネルを受信することを含む。
【００３０】
本発明の実施例では、前記方法は、
前記第２の端末は前記第１の端末の制御情報を受信し、前記第１の端末の制御情報に基づいて前記フィードバックチャネルを伝送するための伝送リソースを決定するステップをさらに含む。
【００３１】
本発明の実施例では、前記方法は、
前記第２の端末は前記参照信号の伝送リソースに基づいて、前記フィードバックチャネルを伝送するための伝送リソースを決定するステップをさらに含む。
【００３２】
本発明の実施例にて提供される情報フィードバック装置は、第１の端末に適用され、
受信ユニットであって、第２の端末から送信されたＮ組の参照信号を受信することに用いられ、Ｎは正の整数であり、ここで、異なる組間の参照信号の伝送リソースは時分割である受信ユニットと、
受信したＮ組の参照信号に基づいて目標参照信号を選択するための選択ユニットと、
送信ユニットであって、前記第２の端末に前記目標参照信号のインデックス情報を送信することに用いられ、ここで、前記インデックス情報はフィードバックチャネル内に運ばれる送信ユニットと、を含む。
【００３３】
本発明の実施例では、前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される。
【００３４】
本発明の実施例では、各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される。
【００３５】
本発明の実施例では、前記第２の端末の前記制御チャネルの伝送リソースと前記参照信号の伝送リソースは時分割である。
【００３６】
本発明の実施例では、前記第２の端末の前記制御チャネルはビームフォーミングを用いずに伝送される。
【００３７】
本発明の実施例では、前記第２の端末の前記参照信号はビームフォーミングを用いて伝送される。
【００３８】
本発明の実施例では、前記フィードバックチャネルは、前記第１の端末の識別情報と前記第２の端末の識別情報のうちの少なくとも１つをさらに含む。
【００３９】
本発明の実施例では、前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される。
【００４０】
本発明の実施例では、前記送信ユニットは、前記目標参照信号のインデックス情報をＮ回伝送するように、前記第２の端末にフィードバックチャネルをＮ回送信するために用いられる。
【００４１】
本発明の実施例では、前記装置は、
センシングを実行して少なくとも１つの利用可能なリソースを決定し、且つ前記少なくとも１つの利用可能なリソースから前記フィードバックチャネルを伝送するための伝送リソースを選択するためのセンシングユニットをさらに含む。
【００４２】
本発明の実施例では、前記フィードバックチャネルの伝送リソースは、前記第１の端末の制御チャネルによって指示される。
【００４３】
本発明の実施例では、前記装置は、
前記参照信号の伝送リソースに基づいて、前記フィードバックチャネルを伝送するための伝送リソースを決定するためのリソース決定ユニットをさらに含む。
【００４４】
本発明の実施例では、前記第１の端末の前記制御チャネルの伝送リソースと前記フィードバックチャネルの伝送リソースは時分割である。
【００４５】
本発明の実施例にて提供される情報フィードバック装置は、第２の端末に適用され、
送信ユニットであって、第１の端末にＮ組の参照信号を送信することに用いられ、Ｎは正の整数であり、ここで、異なる組間の参照信号の伝送リソースは時分割である送信ユニットと、
受信ユニットであって、前記第１の端末から送信された目標参照信号のインデックス情報を受信することに用いられ、ここで、前記インデックス情報はフィードバックチャネル内に運ばれる受信ユニットと、を含む。
【００４６】
本発明の実施例では、前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される。
【００４７】
本発明の実施例では、各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される。
【００４８】
本発明の実施例では、前記第２の端末の前記制御チャネルの伝送リソースと前記参照信号の伝送リソースは時分割である。
【００４９】
本発明の実施例では、前記第２の端末の前記制御チャネルはビームフォーミングを用いずに伝送される。
【００５０】
本発明の実施例では、前記第２の端末の前記参照信号はビームフォーミングを用いて伝送される。
【００５１】
本発明の実施例では、前記フィードバックチャネルは、前記第１の端末の識別情報と前記第２の端末の識別情報のうちの少なくとも１つをさらに含む。
【００５２】
本発明の実施例では、前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される。
【００５３】
本発明の実施例では、前記受信ユニットは、前記第１の端末から送信された、前記インデックス情報を含むＮ回のフィードバックチャネルを受信するために用いられる。
【００５４】
本発明の実施例では、前記装置は、
前記第１の端末の制御情報を受信し、前記第１の端末の制御情報に基づいて前記フィードバックチャネルを伝送するための伝送リソースを決定するための決定ユニットをさらに含む。
【００５５】
本発明の実施例では、前記装置は、
前記参照信号の伝送リソースに基づいて、前記フィードバックチャネルを伝送するための伝送リソースを決定するための決定ユニットをさらに含む。
【００５６】
本発明の実施例にて提供されるコンピュータ記憶媒体は、コンピュータ実行可能命令を格納しており、該コンピュータ実行可能命令がプロセッサによって実行されるときに、上記情報フィードバック方法を実現する。
【発明の効果】
【００５７】
本発明の実施例にて提供される技術的解決手段では、第１の端末は第２の端末から送信されたＮ組の参照信号を受信し、Ｎは正の整数であり、ここで、異なる組間の参照信号の伝送リソースは時分割であり、前記第１の端末は受信したＮ組の参照信号に基づいて目標参照信号を選択し、前記第１の端末は前記第２の端末に前記目標参照信号のインデックス情報を送信し、ここで、前記インデックス情報はフィードバックチャネル内に運ばれる。本発明の実施例の技術的解決手段により、第２の端末は、ビーム走査形態でＮ組の参照信号を送信し、第１の端末は、新たに設計されたフィードバックチャネルを通じて第２の端末に目標参照信号のインデックス情報（即ち、ビームインデックス情報）を送信し、なお、第１の端末はフィードバックチャネルをＮ回繰り返し送信することにより、受信側はＮ個の異なるビームを使用してインデックス情報を受信でき、受信パフォーマンスが確保される。
【図面の簡単な説明】
【００５８】
本明細書に記載される図面は、本発明のさらなる理解を提供するために使用され、本願の一部を構成し、本発明の概略的な実施例及びその説明は、本発明を説明するために使用され、本発明に対する不適切な限定を構成するものではない。図面において、
【図１】ビークルツーエブリシングにおけるモード３のシーン概略図である。
【図２】ビークルツーエブリシングにおけるモード４のシーン概略図である。
【図３】本発明の実施例に係る情報フィードバック方法のフローチャート１である。
【図４】本発明の実施例に係る情報フィードバック方法のフローチャート２である。
【図５】本発明の実施例に係る情報フィードバック装置の構成を示す概略図１である。
【図６】本発明の実施例に係る情報フィードバック装置の構成を示す概略図２である。
【図７】本発明の実施例に係るコンピュータデバイスの構成を示す概略図である。
【発明を実施するための形態】
【００５９】
本発明の実施例の特徴及び技術内容をより詳細に理解するために、本発明の実施例の実現を添付の図面を参照して以下に詳細に説明し、添付の図面は参照のみであり、本発明の実施例を限定するものではない。
【００６０】
本発明の実施例の技術的解決手段を理解しやすくするために、ビークルツーエブリシングにおけるモード３及びモード４を以下に別々に説明する。
【００６１】
モード３において、図１に示すように、車載端末の伝送リソースは、基地局（例えばＬＴＥの進化した基地局（ｅＮＢ、ｅｖｏｌｖｅｄ  ＮｏｄｅＢ））によって割り当てられ、具体的には、基地局は、許可（Ｇｒａｎｔ）リソースを指示するための制御情報をダウンリンク（ＤＬ、ＤｏｗｎＬｉｎｋ）を介して車載端末に送信し、その後、車載端末は、基地局によって割り当てられたリソースに従ってＳＬでデータを送信する。モード３では、基地局は単発伝送のリソースを車載端末に割り当ててもよいし、準静的伝送のリソースを端末に割り当ててもよい。
【００６２】
モード４において、図２に示すように、車載端末は、センシング＋予約の伝送形態を採用する。車載端末は、リソースプールにおいてセンシングすることで利用可能な伝送リソースセットを取得し、車載端末は、該伝送リソースセットからデータ伝送用のリソースをランダムに選択する。カーネットワーキングシステムのサービスには周期的な特性があるため、車載端末は通常、準静的伝送の形態を採用し、つまり、車載端末は１つの伝送リソースを選択した後、該リソースを複数の伝送サイクルで継続的に使用し、これによりリソースの再選択とリソースの競合の確率を減らす。車載端末は、今回伝送される制御情報には次の伝送リソースを予約する情報を載せるため、他の端末は、該車載端末の制御情報を検出することにより、このリソースが該車載端末によって予約及び使用されているか否かを判断でき、リソースの競合を減らすという目的を達成する。
【００６３】
なお、ＬＴＥ−Ｖ２Ｘでは、モード３は車載端末の伝送リソースが基地局によって割り当てられることを示すために使用され、モード４は車載端末の伝送リソースが端末によって独立して選択されることを示すために使用され、ＮＲ−Ｖ２Ｘでは、新しい伝送モードを定義できるが、本発明はこれについて限定しない。
【００６４】
ＮＲ−Ｖ２Ｘにマルチアンテナ伝送技術を導入する必要があり、マルチアンテナは次の利点を有しており、
１）より高い伝送速度：マルチアンテナの多重化伝送モードを使用すると、複数のデータストリームを同じ時間周波数リソースで伝送できるため、伝送速度を向上させる。
２）より広いカバレッジとより高い信頼性：ビームフォーミング（Ｂｅａｍｆｏｒｍｉｎｇ）技術を使用してエネルギーを１つの狭いビームに集中させることができ、それにより受信側での信号対干渉雑音比（ＳＩＮＲ、Ｓｉｇｎａｌ  ｔｏ  Ｉｎｔｅｒｆｅｒｅｎｃｅ  ｐｌｕｓ  Ｎｏｉｓｅ  Ｒａｔｉｏ）を改善し、これにより、受信側の受信成功確率を向上させ、又は伝送距離を伸ばすことができる。
【００６５】
ここで、Ｂｅａｍｆｏｒｍｉｎｇによってカバレッジと信頼性を向上させることができ、送信側が複数の候補ビームから最適なビームをどのように選択するかは、送信側はビーム走査を実行し、異なるビームを用いてそれぞれ伝送する工程、受信側は各ビームで伝送されたデータをそれぞれ受信することで、最適なビームとして最高の伝送品質を持つビームを選択し、且つ該ビームのインデックス値を送信側にフィードバックする工程、及びその後のデータ伝送では、送信側は該最適なビームを用いてデータ伝送を実行できる工程によって実現される。
【００６６】
上記解決手段では、受信側がビームのインデックス値を送信側にフィードバックする必要があるが、ＮＲ−Ｖ２Ｘでビーム情報をどのようにフィードバックするかは解決する必要がある問題であり、
１）ビーム走査の工程では、ビームフォーミングを使用してデータ伝送を実行するが、ビーム情報フィードバックの工程でビームフォーミングを使用しない場合、伝送距離と受信性能を確保することは困難である。
２）フィードバック情報の伝送中にビームフォーミングを使用すれば、フィードバック情報を送信する端末（つまりフィードバック情報の送信側）が競合によってリソースを取得し、フィードバック情報を受信する端末（つまりフィードバック情報の受信側）がフィードバック情報の送信側によって取得されたリソースをどのように取得し、適切なビームを用いてフィードバック情報の送信側に合わせるかは本発明の実施例の技術的解決手段が解決しようとする問題である。
【００６７】
図３は、本発明の実施例に係る情報フィードバック方法のフローチャート１であり、図３に示すように、前記情報フィードバック方法は、ステップ３０１〜ステップ３０３を含む。
【００６８】
ステップ３０１において、第１の端末は第２の端末から送信されたＮ組の参照信号を受信し、Ｎは正の整数であり、ここで、異なる組間の参照信号の伝送リソースは時分割である。
【００６９】
本発明の実施例では、第１の端末と第２の端末の種類は限定されず、車載端末、携帯電話、ラップトップなどのデバイスであってもよい。
【００７０】
本発明の実施例では、第２の端末はビーム走査形態でデータを送信し、第２の端末のビームの総数はＮ個であり、毎回のビーム走査はＭ個のデータシンボルを占有し（つまり、各組の参照信号はＭ個の時間領域シンボルを含み、Ｍは正の整数である）、従って、１回のビーム走査を完了するにはＮ×Ｍ個のシンボルが必要であり、第１の端末はビーム走査で送信されたデータを受信する。
【００７１】
なお、本発明で言及されるシンボルは、特に明記しない限り、直交周波数分割多重化（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを指す。
【００７２】
なお、Ｎは、前記第２の端末のビームの総数、又は前記第２の端末が走査しようとするビームの総数である。
【００７３】
本発明の実施例では、第２の端末のビームの総数Ｎは、以下のようにして決定でき、
１）前記Ｎの値は前記第２の端末の制御チャネルに基づいて指示されるか、又は、
２）前記Ｎの値は予め設定された構成に基づいて決定されるか、又は、
３）前記Ｎの値は基地局の構成に基づいて決定される。
【００７４】
本発明の実施例では、ビーム走査毎に占有するシンボルの数Ｍは、以下のようにして決定でき、
１）前記Ｍの値は前記第２の端末の制御チャネルに基づいて指示されるか、又は、
２）前記Ｍの値は予め設定された構成に基づいて決定されるか、又は、
３）前記Ｍの値は基地局の構成に基づいて決定される。
【００７５】
一実施形態では、前記第２の端末の前記制御チャネルの伝送リソースと前記参照信号の伝送リソースは時分割である。さらに、前記第２の端末の前記制御チャネルはビームフォーミングを用いずに伝送される。前記第２の端末の前記参照信号はビームフォーミングを用いて伝送される。
【００７６】
ここで、前記第２の端末の制御チャネル及びデータチャネルは、時分割多重化（ＴＤＭ、Ｔｉｍｅ  Ｄｉｖｉｓｉｏｎ  Ｍｕｌｔｉｐｌｅｘｉｎｇ）形態で伝送される。これは、第２の端末の制御チャネル及びデータチャネルが周波数分割多重化（ＦＤＭ、Ｆｒｅｑｕｅｎｃｙ  Ｄｉｖｉｓｉｏｎ  Ｍｕｌｔｉｐｌｅｘｉｎｇ）形態で伝送される場合、制御チャネルがビームフォーミングを用いず、データチャネルがビームフォーミングを用いて伝送されることを実現するのが困難であるからである。
【００７７】
ステップ３０２において、前記第１の端末は受信したＮ組の参照信号に基づいて目標参照信号を選択する。
【００７８】
一実施形態では、ビーム走査形態に基づいて第２の端末から送信されたＮ組の参照信号を受信した後、第１の端末は、最適な参照信号としてＮ組の参照信号（Ｎ個のビームに対応）から最高の伝送品質を持つ参照信号を選択し、つまり、前記目標参照信号である。
【００７９】
ステップ３０３において、前記第１の端末は前記第２の端末に前記目標参照信号のインデックス情報を送信し、ここで、前記インデックス情報はフィードバックチャネル内に運ばれる。
【００８０】
本発明の実施例では、新たなチャネル、即ち目標参照信号のインデックス情報を伝送するためのフィードバックチャネルを設計する。なお、フィードバックチャネルは、確認（ＡＣＫ）／非確認（ＮＡＣＫ）情報、チャネル品質インジケータ（ＣＱＩ、Ｃｈａｎｎｅｌ  Ｑｕａｌｉｔｙ  Ｉｎｄｉｃａｔｏｒ）情報、プリコーディングマトリックスインジケータ（ＰＭＩ、Ｐｒｅｃｏｄｉｎｇ  Ｍａｔｒｉｘ  Ｉｎｄｉｃａｔｏｒ）情報、ランク表示（ＲＩ、Ｒａｎｋ  Ｉｎｄｉｃａｔｉｏｎ）情報、電力インジケータ情報など、他のフィードバック情報を運ぶために使用されてもよい。
【００８１】
一実施形態では、前記フィードバックチャネルは、前記第１の端末の識別情報と前記第２の端末の識別情報のうちの少なくとも１つをさらに含む。
【００８２】
本発明の実施例では、前記フィードバックチャネルはＫ個の時間領域シンボルを含み、Ｋは正の整数であり、ここで、前記フィードバックチャネルが占有するシンボルの数Ｋは、以下のようにして決定でき、
１）前記Ｋの値は前記第１の端末の制御チャネルに基づいて指示されるか、又は、
２）前記Ｋの値は予め設定された構成に基づいて決定されるか、又は、
３）前記Ｋの値は基地局の構成に基づいて決定される。
【００８３】
本発明の実施例では、前記第１の端末は、前記目標参照信号のインデックス情報をＮ回伝送するように、前記第２の端末にフィードバックチャネルをＮ回送信する。
【００８４】
ここで、各フィードバックチャネルがＫ個のシンボルを占有するため、従ってフィードバックチャネルが占有するシンボルの総数はＮ×Ｋであり、ここで、Ｎは第２の端末のビームの総数である。
【００８５】
本発明の実施例では、前記第１の端末が前記第２の端末にフィードバックチャネルをＮ回送信する目的は、第２の端末がビーム走査形態でＮ個のビームを用いて第１の端末に合わせてＮ個のフィードバックチャネルを受信し、ここで、１つのビームが１回のフィードバックチャネルの受信に対応することである。
【００８６】
本発明の実施例では、フィードバックチャネルの伝送リソースは以下の２つの形態によって決定できる。
【００８７】
形態１において、第１の端末のフィードバックリソースは、センシングによって取得される。
【００８８】
具体的には、前記第１の端末は、リソースセンシングを実行して少なくとも１つの利用可能なリソースを決定し、且つ前記少なくとも１つの利用可能なリソースから前記フィードバックチャネルを伝送するための伝送リソースを選択する。さらに、前記フィードバックチャネルの伝送リソースは、前記第１の端末の制御チャネルによって指示される。
【００８９】
形態２において、第１の端末のフィードバックリソースは、第２の端末から送信されたデータの伝送リソースによって決定される。
【００９０】
具体的には、前記第１の端末は前記参照信号の伝送リソースに基づいて、前記フィードバックチャネルを伝送するための伝送リソースを決定する。例えば、前記フィードバックチャネルの伝送リソースは、前記データ又は前記参照信号が位置する最低物理リソースブロック（ＰＲＢ、Ｐｈｙｓｉｃａｌ  Ｒｅｓｏｕｒｃｅ  Ｂｌｏｃｋ）のインデックス、又は最低サブバンドのインデックスによって決定されることができる。
【００９１】
上記解決手段では、フィードバックチャネルの伝送リソースの時間領域長はＮ×Ｋであり、ここで、各フィードバックチャネルがＫ個のシンボルを占有し、フィードバックチャネルをＮ回伝送する場合、フィードバックチャネルが占有するシンボルの総数はＮ×Ｋである。
【００９２】
本発明の実施例では、前記第１の端末の制御チャネルは伝送されてもされなくてもよい。前記第１の端末が制御チャネルを伝送しない場合、前記Ｋの値及び／又は前記フィードバックチャネルの伝送リソースは、前記第２の端末側で予め設定された操作により取得され、例えば、前記第２の端末は、予め設定された構成又は基地局の構成によりＫ値を取得し、前記第２の端末は、前記参照信号の伝送リソースを使用して前記フィードバックチャネルの伝送リソースを決定する。
【００９３】
前記第１の端末が制御チャネルを伝送する場合、前記Ｋの値及び／又は前記フィードバックチャネルの伝送リソースは、前記第２の端末側で前記第１の端末の制御チャネルを介して取得され、あるいは前記第２の端末側で予め設定された操作により取得され、ここで、前記第１の端末の前記制御チャネルの伝送リソースと前記フィードバックチャネルの伝送リソースは時分割である。
【００９４】
図４は、本発明の実施例に係る情報フィードバック方法のフローチャート２であり、図４に示すように、前記情報フィードバック方法は、ステップ４０１及びステップ４０２を含む。
【００９５】
ステップ４０１において、第２の端末は第１の端末にＮ組の参照信号を送信し、Ｎは正の整数であり、ここで、異なる組間の参照信号の伝送リソースは時分割である。
【００９６】
本発明の実施例では、第２の端末はビーム走査形態でデータを送信し、第２の端末のビームの総数はＮ個であり、毎回のビーム走査はＭ個のデータシンボルを占有し（つまり、各組の参照信号はＭ個の時間領域シンボルを含み、Ｍは正の整数である）、従って、１回のビーム走査を完了するにはＮ×Ｍ個のシンボルが必要であり、第１の端末はビーム走査で送信されたデータを受信する。
【００９７】
なお、Ｎは、前記第２の端末のビームの総数、又は前記第２の端末が走査しようとするビームの総数である。
【００９８】
本発明の実施例では、第２の端末のビームの総数Ｎは、以下のようにして決定でき、
１）前記Ｎの値は前記第２の端末の制御チャネルに基づいて指示されるか、又は、
２）前記Ｎの値は予め設定された構成に基づいて決定されるか、又は、
３）前記Ｎの値は基地局の構成に基づいて決定される。
【００９９】
本発明の実施例では、ビーム走査毎に占有するシンボルの数Ｍは、以下のようにして決定でき、
１）前記Ｍの値は前記第２の端末の制御チャネルに基づいて指示されるか、又は、
２）前記Ｍの値は予め設定された構成に基づいて決定されるか、又は、
３）前記Ｍの値は基地局の構成に基づいて決定される。
【０１００】
一実施形態では、前記第２の端末の前記制御チャネルの伝送リソースと前記参照信号の伝送リソースは時分割である。さらに、前記第２の端末の前記制御チャネルはビームフォーミングを用いずに伝送される。前記第２の端末の前記参照信号はビームフォーミングを用いて伝送される。
【０１０１】
ここで、前記第２の端末の制御チャネル及びデータチャネルは、ＴＤＭ形態で伝送される。これは、第２の端末の制御チャネル及びデータチャネルがＦＤＭ形態で伝送される場合、制御チャネルがビームフォーミングを用いず、データチャネルがビームフォーミングを用いて伝送されることを実現するのが困難であるからである。
【０１０２】
ステップ４０２において、前記第２の端末は前記第１の端末から送信された目標参照信号のインデックス情報を受信し、ここで、前記インデックス情報はフィードバックチャネル内に運ばれる。
【０１０３】
一実施形態では、前記フィードバックチャネルは、前記第１の端末の識別情報と前記第２の端末の識別情報のうちの少なくとも１つをさらに含む。
【０１０４】
本発明の実施例では、前記フィードバックチャネルはＫ個の時間領域シンボルを含み、Ｋは正の整数であり、ここで、前記フィードバックチャネルが占有するシンボルの数Ｋは、以下のようにして決定でき、
１）前記Ｋの値は前記第１の端末の制御チャネルに基づいて指示されるか、又は、
２）前記Ｋの値は予め設定された構成に基づいて決定されるか、又は、
３）前記Ｋの値は基地局の構成に基づいて決定される。
【０１０５】
本発明の実施例では、前記第２の端末は、前記第１の端末から送信された、前記インデックス情報を含むＮ回のフィードバックチャネルを受信する。さらに、前記第２の端末は、Ｎ個のビームを介して前記第１の端末から送信されたＮ回のフィードバックチャネルを受信し、ここで、１つのビームは１回のフィードバックチャネルの受信に対応する。
【０１０６】
本発明の実施例では、フィードバックチャネルの伝送リソースは以下の２つの形態によって決定できる。
【０１０７】
形態１において、前記第２の端末は、前記第１の端末の制御情報を受信し、前記第１の端末の制御情報に基づいて前記フィードバックチャネルを伝送するための伝送リソースを決定する。
【０１０８】
形態２において、前記第２の端末は前記参照信号の伝送リソースに基づいて、前記フィードバックチャネルを伝送するための伝送リソースを決定する。
【０１０９】
具体的には、前記第２の端末は前記参照信号の伝送リソースに基づいて、前記フィードバックチャネルを伝送するための伝送リソースを決定する。例えば、前記フィードバックチャネルの伝送リソースは、前記データ又は前記参照信号が存在する最低ＰＲＢのインデックス又は最低サブバンドのインデックスによって決定されてもよい。
【０１１０】
図５は、本発明の実施例に係る情報フィードバック装置の構成を示す概略図１であり、前記情報フィードバック装置は第１の端末に適用されてよく、図５に示すように、前記情報フィードバック装置は、
受信ユニット５０１であって、第２の端末から送信されたＮ組の参照信号を受信することに用いられ、Ｎは正の整数であり、ここで、異なる組間の参照信号の伝送リソースは時分割である受信ユニット５０１と、
受信したＮ組の参照信号に基づいて目標参照信号を選択するための選択ユニット５０２と、
送信ユニット５０３であって、前記第２の端末に前記目標参照信号のインデックス情報を送信することに用いられ、ここで、前記インデックス情報はフィードバックチャネル内に運ばれる送信ユニット５０３と、を含む。
【０１１１】
一実施形態では、前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される。
【０１１２】
本発明の実施例では、第２の端末はビーム走査形態でデータを送信し、なお、Ｎは、前記第２の端末のビームの総数、又は前記第２の端末が走査しようとするビームの総数である。
【０１１３】
一実施形態では、各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される。
【０１１４】
なお、本発明で言及されるシンボルは、特に明記しない限り、ＯＦＤＭシンボルを指す。
【０１１５】
一実施形態では、前記第２の端末の前記制御チャネルの伝送リソースと前記参照信号の伝送リソースは時分割である。
【０１１６】
一実施形態では、前記第２の端末の前記制御チャネルはビームフォーミングを用いずに伝送される。
【０１１７】
一実施形態では、前記第２の端末の前記参照信号はビームフォーミングを用いて伝送される。
【０１１８】
一実施形態では、前記フィードバックチャネルは、前記第１の端末の識別情報と前記第２の端末の識別情報のうちの少なくとも１つをさらに含む。
【０１１９】
一実施形態では、前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される。
【０１２０】
一実施形態では、前記送信ユニット５０３は、前記目標参照信号のインデックス情報をＮ回伝送するように、前記第２の端末にフィードバックチャネルをＮ回送信するために用いられる。
【０１２１】
一実施形態では、前記装置は、
センシングを実行して少なくとも１つの利用可能なリソースを決定し、且つ前記少なくとも１つの利用可能なリソースから前記フィードバックチャネルを伝送するための伝送リソースを選択するためのセンシングユニット５０４をさらに含む。
【０１２２】
一実施形態では、前記フィードバックチャネルの伝送リソースは、前記第１の端末の制御チャネルによって指示される。
【０１２３】
一実施形態では、前記装置は、
前記参照信号の伝送リソースに基づいて、前記フィードバックチャネルを伝送するための伝送リソースを決定するためのリソース決定ユニット５０５をさらに含む。
【０１２４】
一実施形態では、前記第１の端末の前記制御チャネルの伝送リソースと前記フィードバックチャネルの伝送リソースは時分割である。
【０１２５】
当業者であれば、図５に示された情報フィードバック装置の各ユニットの実現機能は、上記の情報フィードバック方法の関連説明を参照することにより理解されることができる。図５に示された情報フィードバック装置における各ユニットの機能は、プロセッサ上で実行しているプログラムにより実現されてもよいし、具体的な論理回路により実現されてもよいと理解すべきである。
【０１２６】
図６は、本発明の実施例に係る情報フィードバック装置の構成を示す概略図２であり、前記情報フィードバック装置は第１の端末に適用されてよく、図６に示すように、前記情報フィードバック装置は、
送信ユニット６０１であって、第１の端末にＮ組の参照信号を送信することに用いられ、Ｎは正の整数であり、ここで、異なる組間の参照信号の伝送リソースは時分割である送信ユニット６０１と、
受信ユニット６０３であって、前記第１の端末から送信された目標参照信号のインデックス情報を受信することに用いられ、ここで、前記インデックス情報はフィードバックチャネル内に運ばれる受信ユニット６０３と、を含む。
【０１２７】
一実施形態では、前記Ｎの値は前記第２の端末の制御チャネルに基づいて指示されるか、又は、
前記Ｎの値は予め設定された構成に基づいて決定されるか、又は、
前記Ｎの値は基地局の構成に基づいて決定される。
【０１２８】
本発明の実施例では、第２の端末はビーム走査形態でデータを送信し、なお、Ｎは、前記第２の端末のビームの総数、又は前記第２の端末が走査しようとするビームの総数である。
【０１２９】
一実施形態では、各組の参照信号はＭ個の時間領域シンボルを含み、Ｍは正の整数であり、ここで、
前記Ｍの値は前記第２の端末の制御チャネルに基づいて指示されるか、又は、
前記Ｍの値は予め設定された構成に基づいて決定されるか、又は、
前記Ｍの値は基地局の構成に基づいて決定される。
【０１３０】
なお、本発明で言及されるシンボルは、特に明記しない限り、ＯＦＤＭシンボルを指す。
【０１３１】
一実施形態では、前記第２の端末の前記制御チャネルの伝送リソースと前記参照信号の伝送リソースは時分割である。
【０１３２】
一実施形態では、前記第２の端末の前記制御チャネルはビームフォーミングを用いずに伝送される。
【０１３３】
一実施形態では、前記第２の端末の前記参照信号はビームフォーミングを用いて伝送される。
【０１３４】
一実施形態では、前記フィードバックチャネルは、前記第１の端末の識別情報と前記第２の端末の識別情報のうちの少なくとも１つをさらに含む。
【０１３５】
一実施形態では、前記フィードバックチャネルはＫ個の時間領域シンボルを含み、Ｋは正の整数であり、ここで、
前記Ｋの値は前記第１の端末の制御チャネルに基づいて指示されるか、又は、
前記Ｋの値は予め設定された構成に基づいて決定されるか、又は、
前記Ｋの値は基地局の構成に基づいて決定される。
【０１３６】
一実施形態では、前記受信ユニット６０３は、前記第１の端末から送信された、前記インデックス情報を含むＮ回のフィードバックチャネルを受信するために用いられる。
【０１３７】
一実施形態では、前記装置は、
前記第１の端末の制御情報を受信し、前記第１の端末の制御情報に基づいて前記フィードバックチャネルを伝送するための伝送リソースを決定するための決定ユニット６０２をさらに含む。
【０１３８】
一実施形態では、前記装置は、
前記参照信号の伝送リソースに基づいて、前記フィードバックチャネルを伝送するための伝送リソースを決定するための決定ユニット６０２をさらに含む。
【０１３９】
当業者であれば、図６に示された情報フィードバック装置の各ユニットの実現機能は、上記の情報フィードバック方法の説明を参照することにより理解されることができる。図６に示された情報フィードバック装置における各ユニットの機能は、プロセッサ上で実行しているプログラムにより実現されてもよいし、具体的な論理回路により実現されてもよいと理解すべきである。
【０１４０】
本発明の実施例の上記の技術的解決手段は、カーネットワーキングシステムだけでなく、他のエンドツーエンド通信システムにも適用可能であり、本発明の実施例における前記端末は、車載端末、ハンドヘルド端末、パーソナルデジタルアシスタント（ＰＤＡ、Ｐｅｒｓｏｎａｌ  Ｄｉｇｉｔａｌ  Ａｓｓｉｓｔａｎｔ）、又はウェアラブル端末などであってもよい。
【０１４１】
本発明の実施例における上記情報フィードバック装置は、ソフトウェア機能モジュールの形態で実現されてスタンドアロン製品として販売又は使用される場合、コンピュータ可読記憶媒体に格納されてもよい。このような理解に基づいて、本発明の実施例の技術的解決手段の従来技術に不可欠又は貢献する部分は、ソフトウェア製品の形態で具現化することができ、該コンピュータソフトウェア製品は、１つの記憶媒体に記憶され、コンピュータデバイス（パーソナルコンピュータ、サーバ、又はネットワークデバイスなどであってもよい）に本発明の各実施例に記載の方法の全て又は一部を実行させるためのいつくかの命令を含む。前述の記憶媒体は、Ｕディスク、モバイルハードディスク、読み取り専用メモリ（ＲＯＭ、Ｒｅａｄ  Ｏｎｌｙ  Ｍｅｍｏｒｙ）、磁気ディスク、又は光ディスクなどのプログラムコードを格納できるさまざまな媒体を含む。このようにして、本発明の実施例は、ハードウェアとソフトウェアの特定の組み合わせに限定されない。
【０１４２】
従って、本発明の実施例はさらに、コンピュータ実行可能命令を格納しているコンピュータ記憶媒体を提供し、該コンピュータ実行可能命令がプロセッサによって実行されるときに、本発明の実施例の上記情報フィードバック方法を実現する。
【０１４３】
図７は、本発明の実施例に係るコンピュータデバイスの構成を示す概略図であり、該コンピュータデバイスは任意の種類の端末であってもよい。図７に示すように、コンピュータデバイス１００は、１つ又は複数（図には１つのみ示す）のプロセッサ１００２（プロセッサ１００２は、マイクロプロセッサ、マイクロコントローラユニット（ＭＣＵ、Ｍｉｃｒｏ  Ｃｏｎｔｒｏｌｌｅｒ  Ｕｎｉｔ）、又はプログラマブルロジックデバイス又はフィールド・プログラマブル・ゲート・アレイ（ＦＰＧＡ、Ｆｉｅｌｄ  Ｐｒｏｇｒａｍｍａｂｌｅ  Ｇａｔｅ  Ａｒｒａｙ）などの処理装置を含むが、これらに限定されない）、データを格納するためのメモリ１００４、及び通信機能のための伝送装置１００６を含んでもよい。当業者であれば、図７に示される構成が例示に過ぎず、上記電子装置の構成を限定しないと理解できる。例えば、コンピュータデバイス１００は、図７に示されるものよりも多いか又は少ないコンポーネントをさらに含んでもよく、又は図７に示されるものとは異なる構成を有してもよい。
【０１４４】
メモリ１００４は、本発明の実施例における方法に対応するプログラム命令／モジュールのような、アプリケーションソフトウェアのソフトウェアプログラム及びモジュールを格納するために使用でき、プロセッサ１００２は、メモリ１００４に格納されているソフトウェアプログラム及びモジュールを実行することによって、さまざまな機能アプリケーション及びデータ処理を実行し、即ち、上記の方法を実現する。メモリ１００４は、高速ランダムアクセスメモリを含んでもよく、さらに、１つ又は複数の磁気記憶装置、フラッシュメモリ、又は他の不揮発性ソリッドステートメモリなどの不揮発性メモリを含んでもよい。いくつかの例では、メモリ１００４は、プロセッサ１００２に対して遠隔設定されたメモリをさらに含んでもよく、これらのリモートメモリは、ネットワークを介してコンピュータデバイス１００に接続されてもよい。上記ネットワークの例には、インターネット、イントラネット、ローカルエリアネットワーク、モバイル通信ネットワーク、及びそれらの組み合わせが含まれるが、これらに限定されない。
【０１４５】
伝送装置１００６は、ネットワークを介してデータを受信又は送信するために使用される。上記ネットワークの特定の例は、コンピュータデバイス１００の通信プロバイダーによって提供される無線ネットワークを含んでもよい。一例では、伝送装置１００６は、インターネットと通信するために基地局を介して他のネットワークデバイスに接続できるネットワークアダプタ又はネットワークインターフェースコントローラ（ＮＩＣ、Ｎｅｔｗｏｒｋ  Ｉｎｔｅｒｆａｃｅ  Ｃｏｎｔｒｏｌｌｅｒ）を含む。一例では、伝送装置１００６は、無線形態でインターネットと通信するために使用される無線周波数（ＲＦ、Ｒａｄｉｏ  Ｆｒｅｑｕｅｎｃｙ）モジュールであってもよい。
【０１４６】
本発明の実施例に記載の技術的解決手段は、矛盾しない場合、任意に組み合わせることができる。
【０１４７】
理解すべきことであるが、本発明に係るいくつかの実施例で開示されている方法及びスマートデバイスは、その他の形態によって実施することもできる。以上に記載のデバイスの実施例は、例示的なものに過ぎず、例えば、前記ユニットの区分は論理上の機能区分に過ぎず、実施するに際しては他の区分形態が考えられる。例えば、複数のユニット又はコンポーネントを組み合わせるか、別のシステムに集積させるか、又はその一部の特徴を反映せず、実行しなくてもよい。また、表示又は議論される各構成要素の相互間の結合、又は直接的な結合、又は通信接続は、いくつかのインタフェース、デバイス、又はユニットを介した間接的な結合又は通信接続であってもよく、電気的形態、機械的形態又はその他の形態であってもよい。
【０１４８】
分離されている部品として説明されている前記ユニットは、物理的に分離されていてもよいし、されなくてもよく、ユニットとして表示されている部品は、物理的なユニットであってもよいし、されなくてもよく、即ち、同一の場所に配置されていてもよいし、複数のネットワークユニットに分布してもよく、実際の状況に応じて、その一部のユニットを選択するか、又は全てのユニットを使用して当該実施例の解決手段の目的を達成することができる。
【０１４９】
また、本発明の各実施例における各機能ユニットは１つの第２の処理ユニットに集積されていてもよいし、又は各ユニットが個別に１つのユニットとして使用されてもよく、又は２つ以上のユニットが１つのユニットに統合されてもよく、上記の集積ユニットは、ハードウェアの形で、又はハードウェアとソフトウェアの機能ユニットの形で実現できる。
【０１５０】
本明細書に記載の内容は、本発明の具体的な実施形態に過ぎず、本発明の保護範囲はこれをもって限定されるわけではない。当業者が本発明で開示されている技術範囲において容易に想到し得る変更又は置換は、いずれも本発明の保護範囲に含まれるべきである。
【国際調査報告】
2021513766.tif 000010
2021513766.tif 000011
2021513766.tif 000012
2021513766.tif 000013
2021513766.tif 000014